(57)【要約】      （修正有）【課題】生け花をより手軽に行える生け花キットを提供する。【解決手段】花器１、複数の花材３ａ〜３ｅ及び剣山２等の花材支持具とからなり、前記花材が、花材支持具の所定個所に配置されるよう花材及び花材支持具に、各々の配置順序及び配置個所を表示する。そして前記複数の花材には、予め生け花としての姿形に整え、それぞれに配置順序を示す番号と正面の向きを示す表示体１０を付す。また前記花材支持具が剣山の場合には、該剣山の前記各花材の配置個所に、前記花材に付された配置順序を示す番号に対応した配置番号の表示が付す。【選択図】図１
0003168565.tif 000002
【実用新案登録請求の範囲】
【請求項１】
花器（１）、複数の花材（３ａ〜３ｅ）及び花材支持具（２）とからなり、前記花材（３ａ〜３ｅ）が、花材支持具（２）の所定個所に配置されるよう花材（３ａ〜３ｅ）及び花材支持具（２）に、各々の配置順序及び配置個所が表示されてなることを特徴とする生け花キット。
【請求項２】
前記複数の花材（３ａ〜３ｅ）が、予め生け花としての姿形に整えられ、それぞれに配置順序を示す番号と正面の向きを示す表示体（１０）が付され、また前記花材支持具が剣山（２）であって、該剣山（２）の前記各花材（３ａ〜３ｅ）の配置個所に前記花材（３ａ〜３ｅ）に付された配置順序を示す番号に対応した配置番号の表示（２０）が付されてなることを特徴とする請求項１に記載の生け花キット。
【請求項３】
前記複数の花材（３ａ〜３ｅ）の姿形の整形が、各花材（３ａ〜３ｅ）ごとの寸法バランス、不要な枝葉の剪定、枝ものを柔らかに曲げる「ため」を施すことで行われ、また花材（３ａ〜３ｅ）のうち切りつめる必要のある花材（例えば３ｅ）においては切断個所に切断位置マーク（１１）が施されてなることを特徴とする請求項１又は２に記載の生け花キット。
【請求項４】
前記剣山（２）が、前記花器（１）に固着され、前記花器（１）の正面に正面表示シールが貼付されてなることを特徴とする請求項１〜３のいずれか１項に記載の生け花キット。
【考案の詳細な説明】
【技術分野】
【０００１】
本考案は、玄関先や洋風のリビングの飾り棚などにも飾れる卓上サイズの生け花を、花器、剣山、及び生け花完成時の姿形に予め整形された花材をセットとして提供し、添付された生け方説明書に記載された手順に基づいて、誰もが容易に生け花を楽しめるようにした生け花キットに関する。
【背景技術】
【０００２】
近年、生活様式の洋風化に伴って、和室のない家庭も増加し、生け花を飾る環境が減少してきている。また、日本古来の生け花は、和室の床の間に飾られることが多く見る方向が限定されることから、各花材それぞれの役割とその役割に基づく姿形と配置のバランスといった生け方に定めがあることから、スクールなどで手軽に学べるフラワーアレンジメントと比べて、生け花を習得しようとする若い人が減少する傾向がみられる。
しかし、洋風化した建物においても玄関先やリビングの飾り棚に生け花を飾って和らいだ雰囲気を醸し出すことは好ましい。そこで見よう見まねの自己流で玄関先やリビングの飾り棚に飾れる小形なサイズの生け花を生けようとして花材を買い求めてきても、前記のようにどの花材にどの役割を担わせてどのように配置するかのバランスを考え、各花材の正面を定め、その正面から見て不要な枝葉を剪定し、直線的な枝ものにあっては「ため」を付けて柔らかみを演出するなどの姿形の修正を施し、定められた生け方の順序に従って生けてゆき、必要に応じて修正を施し、当初想定した姿形の生け花を完成させるにはそれなりの手間と時間を要することとなるので、敬遠される向きも出てくる。
【考案の概要】
【考案が解決しようとする課題】
【０００３】
本考案は、上記背景技術に鑑みて行われたもので、生け花をより手軽に行えるようにして、洋風化した家庭環境の中にも生け花による和みをもたらすとともに、日本古来の生け花への興味を醸成し、生け花人口の増加にもつながる生け花キットを提供しようとするものである。
【課題を解決するための手段】
【０００４】
本考案者は、上記課題を下記の手段により解決した。
（１）花器、複数の花材及び花材支持具とからなり、前記花材が、花材支持具の所定個所に配置されるよう花材及び花材支持具に、各々の配置順序及び配置個所が表示されてなることを特徴とする生け花キット。
（２）前記複数の花材が、予め生け花としての姿形に整えられ、それぞれに配置順序を示す番号と正面の向きを示す表示体が付され、また前記花材支持具が剣山であって、該剣山の前記各花材の配置個所に、前記花材に付された配置順序を示す番号に対応した配置番号の表示が付されてなることを特徴とする前項（１）に記載の生け花キット。
（３）前記複数の花材の姿形の整形が、各花材ごとの寸法バランス、不要な枝葉の剪定、枝ものを柔らかに曲げる「ため」を施すことで行われ、また花材のうち切りつめる必要のある花材においては切断個所に切断位置マークが施されてなることを特徴とする前項（１）又は（２）に記載の生け花キット。
か１項に記載の生け花キット。
（４）前記剣山が、前記花器に固着され、前記花器の正面に正面表示シールが貼付されてなることを特徴とする前項（１）〜（３）のいずれか１項に記載の生け花キット。
【考案の効果】
【０００５】
本考案の生け花キットによって下記の効果が発揮される。
〈１〉花器、複数の花材及び花材支持具とからなり、前記花材が、花材支持具の所定個所に配置されるよう花材及び花材支持具に、各々の配置順序及び配置個所が表示されている生け花キットであり、前記複数の花材が、予め生け花としての姿形に整えられ、それぞれに配置順序を示す番号と正面の向きを示す表示体が貼着され、また前記花材支持具が剣山であって、前記花材の配置個所に前記各花材に付された配置順序を示す番号に対応した配置番号が付されているので、各花材を配置順序番号に従って前記花材支持具である剣山に表示された同一配置番号の位置に生け込むことで簡便に生け花を楽しむことができる。
〈２〉前記複数の花材の姿形の整形が、各花材ごとの寸法バランス、不要な枝葉の剪定、枝ものを柔らかに曲げる「ため」を施すことで行われ、また花材のうち切りつめる必要のある花材においては切断個所に切断位置マークが施されているので、花ばさみを用意するだけで手軽に生け花を楽しむことができる。
〈３〉前記剣山が、前記花器に固着され、前記花器の正面に正面表示シールが貼付されているので、前記花器の正面シールに向かって座し、各花材に表示された正面の向きを確認しながら生けることにより美しい姿形の生け花を完成させることができる。
【図面の簡単な説明】
【０００６】
【図１】本考案の生け花キットの構成例
【図２】花材への配置番号の表示例
【図３】剣山への配置番号の表示例
【図４−１】本考案の生け花キットの配置方法説明図
【図４−２】本考案の生け花キットの配置方法説明図
【考案を実施するための形態】
【０００７】
本考案の生け花キットを実施するための形態を、実施例の図に基づいて説明する。
図１は本考案の生け花キットの構成例、図２は花材への配置番号の表示例、図３は剣山への配置番号の表示例、図４−１及び図４−２は本考案の簡易生け花の配置方法説明図である。
図において１は花器、２は剣山、３ａ、３ｂ、３ｃ、３ｄ、３ｅは花材、３ｅ’は花材３ｅから切断されて生けられる部分の花卉を示す。また１０は花材に付された配置順序を示す番号と正面の向きを示す表示体、１１は前記花卉３ｅ’を花材３ｅから切断する位置を示す切断位置マーク、２０は剣山に付された配置番号の表示、２１は剣山の安全キャップである。
【０００８】
本考案の生け花キットは、図１に示すように、花器１、剣山２、及び予め生け花としての姿形に整えられた複数の花材３ａ〜３ｅとからなり、前記複数の花材３ａ〜３ｅにはそれぞれ配置順序を示す番号と正面の向きを示す表示体１０が付され（図２参照）、そして前記剣山２には前記花材３ａ〜３ｅの配置位置に前記花材３ａ〜３ｅに付された配置順序の番号に対応した配置番号の表示２０が付されている［図３（ａ）参照］。
さらに、前記複数の花材３ａ〜３ｅの姿形の整形が、各花材３ａ、３ｂ、３ｃ、３ｄ、３ｅごとの寸法バランス、不要な枝葉の剪定、枝ものを柔らかに曲げる「ため」を施すことで行われ、また花材３ａ〜３ｅのうち切りつめる必要のある花材（例えば３ｅ）においては切断個所に切断位置マーク１１が施されている。
【０００９】
なお、前記剣山２への配置番号の表示２０が、配置し終えた花材３ａ〜３ｄ，３ｅ’を正面から眺めた場合、各花材３ａ〜３ｅの根元が一点に集まって見えるよう前後に一直線に並べて付されることが好ましく、また、前記剣山２への配置番号の表示２０が、当該剣山２に被せられる透明な安全キャップ２１を別途用意してこの安全キャップ２１に施されることであってもよい［図３（ｂ）参照］。
また前記花器１を水盤状のものとすれば花材３ａ〜３ｄ、３ｅ’を配置するとき剣山２に付された配置番号の表示２０が直視できることや、前記剣山２が、前記花器１に固着され、前記花器１の正面に正面表示シールが貼付されいることも好ましい。
さらに前記花器への剣山２の配置、前記花材３ａ〜３ｅの剣山２への配置方法を記載した説明書、及び完成見本の写真が添付されることもより好ましい。
【００１０】
本考案の生け花キットは、前記複数の花材３ａ〜３ｅを束ね、根元に保水ゲル等の保水手段を備えた形にして、花器１、剣山２とともに提供される。
花器１と剣山２とは個別に、あるいは花器１に剣山２が予め固定されて提供されてよい。花器１に剣山２が予め固定されそして花器１に正面表示シールが貼付されている場合は、正面表示シールを手前に、また正面表示シールのない場合や剣山２が花器１に固定されていない場合には、剣山２の配置番号の表示２０の一番大きい数字が手前になるよう花器１及び剣山２が配置される。
【００１１】
花器１、剣山２の位置が定まった後、剣山２に花材３ａ〜３ｅが配置順序に基づいて配置される。
まず、花材３ａ〜３ｅに付された表示体１０に「１」と表示された花材３ａが、剣山２の「１」と表示された配置位置に、前記花材３ａの表示体１０に表示された正面の向きが前記花器１及び剣山２の正面側に向くようにして配置される［図４−１（ａ）参照］。
次いで表示体１０に「２」と表示された花材３ｂが、前記花材３ａの後方に「２」と表示された剣山２の位置に、花材３ａと同様に、花材３ｂの表示体１０に表示された正面の向きが前記花器１及び剣山２の正面側に向くようにして配置される［図４−１（ｂ）参照］。
以下同様にして表示体１０に「３」と表示された花材３ｃと、表示体１０に「４」と表示された花材３ｄが、前記花材３ａの前方に「３」、「４」と表示された配置位置に順次配置される。この際花材３ｃ、３ｄの表示体１０に表示された正面の向きが、花器１と剣山２の正面側に向くようにされるのはいうまでもない［図４−１（ｃ）、図４−２（ｄ）参照］。
【００１２】
最後に生け花の主役となる花材３ｅの花卉が配置されるが、花卉は枝ものに比べて萎れやすく、そのため図１（ｇ）示すように水あげのいよい茎の太い部分から切断されて提供されることが好ましい。したがって、図４−２（ｅ）に示すように、花材３ｅは生け花として使用する部分３ｅ’が切断された後剣山２の所定の内地位置に配置される。このため花材３ｅにはあらかじめ切断位置を示す切断位置マーク１１が施されている。
上記手順によって本考案の生け花キットのすべての花材３ａ、３ｂ、３ｃ、３ｄ、３e’を剣山２の所定の配置位置に配置し終える［図４−２（ｆ）参照］と花器１の正面シール及び花材３ａ〜３ｅ’に付された表示体１０を取り除かれ、花器１に水を張って生け花としての作業は完了する。なお、剣山２の配置番号の表示２０は、その位置に花材３ａ〜３ｅ’を配置される際に取り外される。
最後に、剣山の周囲に小石やビーズを敷き詰め、花器１の底面を覆い隠すことがあってもよい。また、剣山２は、花材３ａ〜３ｄ、３ｅ’の配置が終えても隠れることがないので、金色のメッキを施しておくことが美観上も好ましい。
【００１３】
これまでは、剣山２に直接配置番号の表示２０を施した生け花キットについて説明してきたが、この生け花キットにおいては、生け花完成時には剣山２の配置番号の表示２０は全て取り除かれてしまうので、その位置を覚えておくか記録に残しておかないと、同じ花器１と剣山２を用いて同じ本数の花材３ａ〜３ｄ、３ｅ’を同じ姿形に配置する場合にも対応できなくなるおそれがある
これに対しては、図３（ｂ）に示すような、前記剣山２への配置番号の表示２０が表面に付され、当該剣山２に被せられる透明な安全キャップ２１を別途用意しておくことで解決できる。この場合には、まず剣山２から安全キャップ２１を取り外し、花器１の傍らにその正面を花器の正面向きに合わせて配置し、前記安全キャップ２１に表示された配置番号の位置を確認しながら花材３ａ〜３ｄ、３ｅ’を配置していくことになるが、次回同様な姿形の生け花を配置しようとするときに起こりうる上記の問題は、前記安全キャップ２１を紛失しない限り起こらない。さらに、異なる配置番号の表示２０が付された安全キャップ２１が提供されることによって、同一花器１と同一剣山２で異なる本数の花材による異なる姿形の生け花を簡便に生けられることにもなり、生け花の楽しみがより拡がる。
【００１４】
本実施例では、花材支持具を剣山２としたが、本考案の花材支持具は、剣山２の限られるものでなく、オアシスなど花材をしっかり支持できるものであればいずれでも使用できる。
【符号の説明】
【００１５】
１：花器
２：剣山
３ａ、３ｂ、３ｃ、３ｄ、３ｅ：花材
３ｅ’：花材３ｅから切断されて生けられる部分の花卉
１０：花材に付された配置順序の番号と正面の向きを示す表示体
１１：前記花卉３ｅ’を花材３ｅから切断する位置を示す切断位置マーク
２０：剣山に付された配置番号の表示
２１：剣山の安全キャップ
【図１】
0003168565.tif 000003
【図２】
0003168565.tif 000004
【図３】
0003168565.tif 000005
【図４−１】
0003168565.tif 000006
【図４−２】
0003168565.tif 000007